(57)【要約】      （修正有）【課題】手指において、患部の治療と関節の固定とを早く簡便に行うことができる関節用装具を提供する。【解決手段】関節用装具１は、芯材を有する固定材（キャストステー）９と、固定材（キャストステー）を収容する本体部２と、本体部を患部に固定する掌ベルト３、４、固定べルト５とを備え、固定材（キャストステー）および本体部は、患部に当接する部分が所定の角度αに屈曲する。【選択図】図４
2019033823.tif 000002
【特許請求の範囲】
【請求項１】
芯材を有する固定材と、
前記固定材を収容する本体部と、
前記本体部を患部に固定する固定部と、を備え、
前記固定材および前記本体部は、前記患部に当接する部分が所定の角度に屈曲する関節用装具。
【請求項２】
前記所定の角度は、７０°〜１２０°である請求項１に記載の関節用装具。
【請求項３】
前記本体部は、内側面と外側面とを有し、
前記外側面の屈曲方向の長さは、前記内側面の屈曲方向の長さ以上である請求項１または２のいずれか一項に記載の関節用装具。
【請求項４】
前記本体部は、開閉可能なフラップ部が形成されている請求項１から３のいずれか一項に記載の関節用装具。
【請求項５】
前記患部は、拳または手指の関節である請求項１から４のいずれか一項に記載の関節用装具。
【請求項６】
前記固定部は、前記本体部を手指に固定する固定ベルトと、前記本体部を掌に固定する掌ベルトと、を有する請求項５に記載の関節用装具。
【請求項７】
前記固定部は、手指の関節を屈曲方向に圧迫する甲ベルトを有する請求項６に記載の関節用装具。
【請求項８】
前記本体部と環指および小指との間には、甲部パッドが配置されている請求項５から７のいずれか一項に記載の関節用装具。
【請求項９】
該掌ベルトと掌の凹みとの間には、掌部パッドが配置されている請求項５から８のいずれか一項に記載の関節用装具。
【請求項１０】
前記芯材は、水硬化性樹脂を含浸させたガラス基材を含む請求項１から９のいずれか一項に記載の関節用装具。
【発明の詳細な説明】
【技術分野】
【０００１】
本発明は、関節用装具に関し、特に、固定材を収容した本体部を用いて手首等の関節を固定する関節用装具に関する。
【背景技術】
【０００２】
近年、整形外科領域の医療現場においては、患者の患部に合った形状に形成したキャストステーを装具に備え付け、患者の患部を迅速に固定することが求められている。このような関節用装具として、例えば、特許文献１には、整形外科的治療段階において四肢に適用する耐湿性の取外し可能なギプスであって、内側面と外側面を有するギプス本体と、前記本体に備わっていると共に、患者の皮膚から大気中へと外に湿気の移動を促す開放的な構造を有し、耐湿性で単層の３次元的なダブルニット生地で形成され、開いた位置と、前記四肢の治療領域に適用される前記ギプス本体の部分を覆う閉じた位置との間で移動可能なフラップ部であって、初期治療段階において患者の装着した副木を、前記ギプス本体と前記フラップ部との間で覆って保持するように適合させた前記フラップ部と、を含む、耐湿性の取外し可能なギプスが開示されている。
【０００３】
ところが、特許文献１に記載のギプスを用いて拳の関節を固定する場合、手指には多数の腱が複雑に関与しているため、基節骨骨折では掌側凸の典型的な転位パターンを呈する。また、基節骨の周囲３／４は腱によって覆われているので、骨折部で腱との癒着をつくり易い。そのため治療中にＩＰ関節を自動運動することにより、腱を滑走させ癒着を防止する必要がある。
【０００４】
また、ＭＰ関節の側副靱帯は中手骨頚部の関節軸の背側から基節骨基部掌側面に向かって走行しているため、伸展時には緩み、屈曲時に緊張する。腫脹のある時には指が伸展位をとり易いので、他動的にでもＭＰ関節を屈曲位に保持して側副靱帯の短縮を予防する必要がある。
【０００５】
これは、転移ある基節骨骨折、中手骨骨折で伸展位に固定をして、治療をした場合に起こり易い。また、屈曲時に隣接指と重ならないように固定をする必要がある。そこで、現在は、ナックルキャストという医療上のギブス処置でのキャスティング手法が存在している。
【先行技術文献】
【特許文献】
【０００６】
【特許文献１】特表２０１４−５１８５２６号公報
【発明の概要】
【発明が解決しようとする課題】
【０００７】
しかしながら、手指という構造が複雑な部位において上記要件を満たしたキャスティング固定は難しく、そのギブス処置は長く時間がかかったり、複数人による施行が必要になったり、思った固定が得られないなどの問題があった。
【０００８】
本発明は、このような状況に鑑みてなされたものであり、患部の治療と関節の固定とを早く簡便に行うことができる関節用装具を提供することを目的とする。
【課題を解決するための手段】
【０００９】
上記課題を解決するため、本発明の一実施形態である関節用装具は、芯材を有する固定材と、固定材を収容する本体部と、本体部を患部に固定する固定部と、を備え、固定材および本体部は、患部に当接する部分が所定の角度に屈曲する。
【発明の効果】
【００１０】
本発明によれば、患部の治療と関節の固定とを早く簡便に行うことができる関節用装具を提供することができる。
【図面の簡単な説明】
【００１１】
【図１】本発明の第１実施形態に係る関節用装具を示す模式図である。
【図２】本発明の第１実施形態に係る関節用装具の装着側を示す平面模式図である。
【図３】本発明の第１実施形態に係る関節用装具の背面側を示す平面模式図である。
【図４】本発明の第１実施形態に係る関節用装具の装着状態を示す模式図である。
【図５】本発明の第２実施形態に係る関節用装具を示す模式図である。
【図６】採型前のキャストステーの一実施形態を示す平面模式図である。
【図７】採型後のキャストステーの一実施形態を示す模式図である。
【図８】本体部にキャストステーを挿入する様子を示す模式図である。
【図９】本発明の第２実施形態に係る関節用装具の装着状態を示す模式図である。
【図１０】本発明の第２実施形態に係る関節用装具の装着状態を示す模式図である。
【図１１】本発明の第２実施形態に係る関節用装具の装着状態を示す模式図である。
【図１２】Ａは、本発明の第２実施形態に係る関節用装具に甲部パッドを取り付けた状態を示す模式図である。Ｂは、甲部パッドを示す模式図である。
【図１３】Ａは、本発明の第２実施形態に係る関節用装具に掌部パッドを取り付けた状態を示す模式図である。Ｂは、掌部パッドを示す模式図である。
【発明を実施するための形態】
【００１２】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の各実施例及びその変形例のいずれかを互いに組み合わせることもできる。
【００１３】
＜１．第１実施形態に係る関節用装具＞
図１から図４を用いて、本発明の第１実施形態に係る関節用装具について説明する。本実施形態に係る関節用装具は、拳の関節を固定する装具（ナックルキャスト）である。図１は、本実施形態に係る関節用装具の掌ベルトを開いた状態を示す模式図である。図２は、本実施形態に係る関節用装具の掌ベルトを閉じた状態を示す装着側の平面模式図である。図３は、本実施形態に係る関節用装具の掌ベルトを閉じた状態を示す背面側の平面模式図である。図４は、本実施形態に係る関節用装具の装着状態を示す模式図である。
【００１４】
（１−１）関節用装具の構成例
本実施形態に係る関節用装具１は、本体部２と、掌ベルト３および４と、固定ベルト５と、を備えている。以下に、各部について詳細に説明する。
【００１５】
本体部２は、平面形状が略矩形で、装着時に拳に接する内側面と、その反対側の外側面と、を有している。本体部２の内側面と外側面との間は開閉可能なフラップ部に形成され、その間に、例えば固定材である水硬化性ステー（キャストステー）９を収容することができる。本体部２は、線分Ｌ１で指のＭＰ関節に沿って所定の角度αに曲げることができる。所定の角度αは、７０°〜１２０°の範囲であることが好ましく、８０°〜１００°の範囲がより好ましい。さらに、所定の角度αは、９０°であることが最適である。角度αが９０°であると日常行動の中で示指から小指が最も曲がりやすくなるからである。これにより、関節用装具１は、拳に装着時にＭＰ関節を所定の角度αに維持することができる。また、指の先から手首に向かう方向において、外側面の長さは、内側面の長さよりも長く形成されている。これにより、所定の角度αに屈曲したキャストステー９が本体部２に挿入しやすくなっている。
【００１６】
本体部２を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００１７】
また、本体部２の編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッセル生地、パイル編生地、添え糸編生地等が利用できる。これらの中で、保持率を上記範囲内とすることができ、且つ、通気性を確保して装着感を向上させることができる生地が好ましく、ダブルラッセル生地とすることが好ましい。
【００１８】
ここで、ダブルラッセル生地は一本の糸から編目を作りながらループと呼ばれる輪をつなぎ合わせて作り、ループがもつ弾力性で伸長力に寄与することができ、このループから空気を透過させる事が出来る。このため、ダブルラッセル生地を用いることにより、通気性を確保することができる。
【００１９】
掌ベルト３は、図１において、本体部２の右側下端から延在しており、その先端に面ファスナ部６が形成されている。同様に、掌ベルト４は、図１において、本体部２の左側下端から延在しており、その先端に面ファスナ部７が形成されている。掌ベルト３および４は、本体部２を拳の甲に押しあてて、拳を所定の角度αで固定するために用いられる。
【００２０】
固定ベルト５は、図１において、本体部２の左側側辺下方から水平方向に延在しており、その先端に面ファスナ部８が形成されている。固定ベルト５は、本体部２を手の指と密着させるために用いられる。
【００２１】
なお、本実施形態では掌ベルトが２本形成され、固定ベルトが１本形成されているが、ベルトの本数はこれに限られない。また、本実施形態に係る関節用装具１では、面ファスナ部６、７および８に、それぞれ面ファスナが設けられ、本体部２の外側面に糸素材がループ状に起毛されて、係着させる構造となっているが、係着させる構造はこれに限定されず、本体部２の外側面に面ファスナを設け、掌ベルト３および４、ならびに固定ベルト５の端部を糸素材がループ状に起毛された構成としてもよい。また、これらを係着させる構造は、面ファスナに限らず、公知の係着構造を採用することができ、例えばバックルやスナップボタンを用いてもよい。
【００２２】
図１において破線で示すように、本体部２の内側面と外側面との間には、拳の形に合わせて所定の角度αに採型したキャストステー９が収容されている。本体部２に収容されたキャストステー９、掌ベルト３および４、ならびに固定ベルト５で患部である拳の関節を線分Ｌ１の周りに所定の角度αで固定することができる。
【００２３】
キャストステー９は、含水させた後に乾かして固めるものであり、強度を出すために、一例として、シート状の芯材を備えている。特に、芯材の厚みおよび材質によってキャストステー９の強度を出している。芯材の素材は、例えば、プラスチック線維、ガラス繊維等の基布（基材）およびウレタン樹脂を用いることができる。これにより、ガラス繊維等の基布およびウレタン樹脂は共に安価であるため、キャストステー９を低コストで製造することが可能となる。なお、基布は、強度を出すための部材であり、ウレタン樹脂は水硬化させるための部材である。
【００２４】
キャストステー９は、芯材の基布にガラス繊維を採用しているため、芯材の厚みを薄くして患部の形にしやすくすることができるので、ステーの固定力を向上させることができる。また、キャストステー９は、薄型化が達成できると装具の設計自由度を向上させることもできる。
【００２５】
また、芯材の材料は、織布、編布、不織布等を使用することができ、これらを単独又は任意に選択組合せて形成してもよい。さらに、芯材には、天然繊維、化学繊維等の繊維を使用することができ、この繊維には、例えば、綿、毛、レーヨン、ポリアミド繊維、ポリエステル繊維、アクリル繊維、ポリオレフィン繊維、ガラス繊維、カーボン繊維、その他の繊維がある。
【００２６】
（１−２）関節用装具の装着手順の一例
次に、本実施形態に係る関節用装具１の装着手順の一例について、図１から図４を参照しながら説明する。本実施形態では、着用者の右手の拳Ｎ１に装着する手順の一例について説明する。なお、本発明に係る関節用装具は、装着者の左右どちらの拳にも装着することができる。
【００２７】
始めに、関節用装具１に収納されるキャストステー９の準備を行う。まず、アルミパウチから硬化前のキャストステー９を取り出し、取り出したキャストステー９を含水させる。そして、含水させたキャストステー９の余分な水分を除去してから、患部の右手の拳Ｎ１に余分な水分を除去したキャストステー９を押し当てて、キャストステー９を採型する。
【００２８】
そして、採型後のキャストステー９を、図３の本体部２の右側面方向から本体部２の内側面と外側面との間のポケットに収納し、例えば面ファスナ等でポケットを閉じる。
【００２９】
関節用装具１にキャストステー９を収納した後、関節用装具１を着用者の患部である右手の拳Ｎ１に装着する。具体的には、図１に示すように、関節用装具１の各ベルトを開いた状態にし、装着者の右手の拳Ｎ１を本体部２の線分Ｌ１に合せながら、右手の拳Ｎ１全体を本体部２の内側面に乗せる。
【００３０】
次に、図２および図３に示すように、掌ベルト３を親指の付け根下方から小指の付け根下方に向けて巻き付け、面ファスナ部６を拳側の上方まで回して本体部２の外側面に斜めに係着させる。今度は、掌ベルト４を小指の付け根下方から人差し指と親指との間を通して巻き付け、面ファスナ部７を拳側の上方まで回して本体部２の外側面に斜めに係着させる。
【００３１】
そして、図４に示すように、固定ベルト５を小指の付け根下方から人差し指と親指との間を通して巻き付け、面ファスナ部８を拳側まで回して本体部２の外側面に係着させる。
【００３２】
以上のように、本実施形態に係る関節用装具１は、所定の角度αに採型された後に本体部２に収容されたキャストステー９を備えることにより、関節の固定を早く簡便に行うことができる。さらに、本実施形態の関節用装具１は、第２指から第５指のＭＰ関節だけを約９０°に固定してＩＰ関節をフリーの状態にしているため、ＭＰ関節の拘縮、骨折面での腱との癒着、回旋変形および偽関節を予防しつつ、骨折等の患部の治療を行うことができる。
【００３３】
＜２．第２実施形態に係る関節用装具＞
図５から図１３を用いて、本発明の第２実施形態に係る関節用装具について説明する。本実施形態が第１実施形態と相違する点は、本体部に取り付けられた拳や手首等を固定するベルトの位置および本数が異なる点である。図５は、本実施形態に係る関節用装具の各ベルトを開いた状態を示す外側面の模式図である。図６は、本実施形態に係る採型前のキャストステーを示す平面模式図である。図７は、本実施形態に係る採型後のキャストステーを示す模式図である。図８は、本実施形態に係る関節用装具の本体部にキャストステーを挿入する様子を示す模式図である。図９から図１１は、本実施形態に係る関節用装具の装着状態を示す模式図である。
【００３４】
（２−１）関節用装具の構成例
図５に示すように、本実施形態に係る関節用装具２１は、本体部２２と、掌ベルト２３と、手首ベルト２４と、周回ベルト２５と、甲ベルト２６と、を備えている。以下に、各部について詳細に説明する。なお、第１実施形態と同様の点については説明を省略する。
【００３５】
本体部２２は、平面形状が縦長の略長方形で、図８に示すように、装着時に拳および手首に接するベース部３２と、その反対側のカバー部３３と、を有している。ベース部３２とカバー部３３との間は開閉可能なフラップ部に形成され、その間に、例えば図６に示すようなキャストステー３１を収容することができる。本体部２２は、長手方向上部の拳に接する部分の幅が、長手方向下部の手首に接する部分の幅よりも狭く形成されている。また、本体部２２の長手方向の長さは、カバー部３３の方がベース部３２よりも長く形成されている。これにより、所定の角度αに屈曲したキャストステー３１が本体部２２に挿入しやすくなっている。なお、キャストステー３１は、使用者の個人にあったステーを即時に作ることができ、副木固定ができるという特徴がある。
【００３６】
掌ベルト２３は、図５において、本体部２２の右側中央付近から延在しており、その先端に面ファスナ部２７が形成されている。掌ベルト２３は、本体部２２を拳の甲に固定するために用いられる。
【００３７】
手首ベルト２４は、図５において、本体部２２の右側下端から延在しており、その先端に図示していないが面ファスナ部が形成されている。手首ベルト２４は、本体部２２を手首に固定するために用いられる。
【００３８】
周回ベルト２５は、図５において、本体部２２のカバー部３３の下方から右側方向に延在しており、その先端に面ファスナ部２８が形成されている。周回ベルト２５には、カバー部３３との接合付近に、面ファスナ部２８を挿入可能なリング状の固定具２９が設けられている。周回ベルト２５は、手首ベルト２４で本体部２２を手首に固定した後に、さらに本体部２２を手首に固定するために用いられる。
【００３９】
甲ベルト２６は、帯状に形成され、図５において、本体部２２の左右水平方向に延在するように、本体部２２の上端に取り付けられている。甲ベルト２６の左右先端には、面ファスナ部３０Ｌおよび３０Ｒが形成されている。甲ベルト２６は、本体部２２を手の指と密着させ、拳を所定の角度αで固定するために用いられる。
【００４０】
ここで、水硬化性のキャストステー３１は、完全硬化前の副木効果は薄く、完全硬化するために約２４時間を要することが特徴として挙げられる。そこで、本実施形態に係る関節用装具２１は、基節骨をＭＰ関節屈曲方向に圧迫する甲ベルト２６を設けている。これにより、完全硬化する前のキャストステー３１を補助し、対象の指に屈曲方向に強く力をかけることができる。なお、キャストステー３１が完全硬化した後は、甲ベルト２６を切り取ることができる。ただし、キャストステー３１が完全硬化した後も引き続き甲ベルト２６を使用することで、キャストステー３１のフィット性を向上させることができる。
【００４１】
（２−２）関節用装具の装着手順の一例
次に、本実施形態に係る関節用装具２１の装着手順の一例について、図５から図１１を参照しながら説明する。本実施形態では、着用者の右手の拳Ｎ２に装着する手順の一例について説明する。なお、本発明に係る関節用装具は、装着者の左右どちらの拳にも装着することができる。
【００４２】
始めに、関節用装具２１に収納されるキャストステー３１の準備を行う。まず、図６に示すように、アルミパウチから採型前のキャストステー３１を取り出し、取り出したキャストステー３１を含水させる。そして、含水させたキャストステー３１の余分な水分を除去する。
【００４３】
次に、図７に示すように、対象者の患部である右手の拳Ｎ２に余分な水分を除去したキャストステー３１を押し当てて、キャストステー３１を採型する。
【００４４】
次に、図８に示すように、採型後のキャストステー３１を、本体部２２の右側面方向からベース部３２とカバー部３３との間ポケットに収納し、例えば面ファスナ等でポケットを閉じる。
【００４５】
関節用装具２１にキャストステー３１を収納した後、関節用装具２１を着用者の患部である右手の拳Ｎ２に装着する。具体的には、図５に示すように、関節用装具２１の各ベルトを開いた状態にし、装着者の右手の拳Ｎ２を採型したキャストステー３１の型通りに合せながら、右手の拳Ｎ２全体を本体部２２のベース部３２に乗せる。
【００４６】
次に、図９に示すように、掌ベルト２３を小指の付け根付近から人差し指と親指との間を通して巻き付け、面ファスナ部２７を拳側まで回して本体部２２のカバー部３３に係着させる。手首ベルト２４を小指の付け根下方から手首に巻き付け、手首ベルト２４の面ファスナ部を拳側まで回してカバー部３３に係着させる。その後、周回ベルト２５を手首に巻き付けた手首ベルト２４の上から巻き付け、拳側まで回した面ファスナ部２８を固定具２９の輪の中に差し込んで折り返して周回ベルト２５の表面に係着させる。
【００４７】
そして、図９から図１１に示すように、甲ベルト２６を所定の角度αで固定された拳Ｎ２の甲から手の両側面を通して手首方向に引っ張り、面ファスナ部３０Ｌおよび３０Ｒを周回ベルト２５の表面に係着させる。
【００４８】
（２−３）変形例１
次に、図１２を用いて、本実施形態に係る関節用装具２１の変形例１について説明する。図１２Ａは、関節用装具２１に甲部パッドを取り付けて拳Ｎ２に関節用装具２１を装着している状態を示す模式図である。図１２Ｂは、関節用装具２１に取り付ける甲部パッドを示す模式図である。
【００４９】
図１２Ａに示すように、甲部パッド４１は、本体部２２のベース部３２上方に、例えば面ファスナ等で取り付けられている。変形例１では、関節用装具２１を拳Ｎ２に装着した際に、甲部パッド４１の表面が右手の環指および小指の甲側に密着している。
【００５０】
図１２Ｂに示すように、甲部パッド４１は、平面形状が略矩形の四隅を切り取った八角形状を成している。甲部パッド４１の素材はウレタンフォーム材、ポリエチレン系フォーム材、アクリル系フォーム材であり、例えば、伸縮性のあるスポンジ等を用いることができる。
【００５１】
環指及び小指は、ＭＰ関節の屈曲方向の可動域が人差し指および中指に比べて大きく、指の径が細い。そのために、キャストステー３１を用いても完全にフィットさせることや、整復維持のための圧迫をかけることが難しい。そして、治療に伴い、患部腫脹が引くとさらにその傾向は強くなる。そこで、環指及び小指用の甲部パッド４１を用いることにより、小指及び環指に対してのみパットを付与しキャストステー３１に対して段差をつけることで、任意にその２指に対する圧力を強くすることができる。その結果、拳Ｎ２と関節用装具２１との密着性を高めることができる。
【００５２】
（２−４）変形例２
次に、図１３を用いて、本実施形態に係る関節用装具２１の変形例２について説明する。図１３Ａは、関節用装具２１に掌部パッドを取り付けて拳Ｎ２に関節用装具２１を装着している状態を示す模式図である。図１３Ｂは、関節用装具２１に取り付ける掌部パッドを示す模式図である。
【００５３】
図１３Ａに示すように、掌部パッド４２は、掌ベルト２３の掌と接する内側面に、例えば面ファスナ等で取り付けられている。変形例２では、関節用装具２１を拳Ｎ２に装着した際に、掌部パッド４２の表面が右手の掌中央のくぼみに接触している。
【００５４】
図１３Ｂに示すように、掌部パッド４２は、平面形状が略円形形状を成している。掌部パッド４２の素材はウレタンフォーム材、ポリエチレン系フォーム材、アクリル系フォーム材であり、例えば、伸縮性のあるスポンジ等を用いることができる。
【００５５】
掌部には凹み部があるため、キャストステー３１の掌ベルト２３が完全にフィットせず、キャストステー３１の副木硬化を下げてしまうおそれがある。そこで、掌部パッド４２を用いることにより、任意に掌部への圧力を強くすることができる。その結果、拳Ｎ２と関節用装具２１との密着性を高めることができる。
【００５６】
上記構成により、本実施形態に係る関節用装具２１は、第１実施形態に係る関節用装具１と同様の効果を有するとともに、拳や手首等の患部に固定する強度をより高めることができる。さらに、関節用装具２１は、甲ベルト２６を備えることにより、拳Ｎ２を種々の所望の角度で固定することができる。
【００５７】
＜３．所定の角度αの実験結果＞
次に、表１を用いて、キャストステー３１の好適な所定の角度αの範囲についての実験方法および実験結果について説明する。下記の表１は、５人の被験者に対し種々の所定の角度αで関節用装具２１を装着した実験１から４を示している。
【００５８】
【表１】
2019033823.tif 000003
【００５９】
実験１は、５人の被験者に対し、示指を曲げて指先と掌の間で紙を挟むことができるＭＰ関節の角度を測定した。その結果、５人の平均値が６７．２°であった。「指先を掌に着ける」という行為を実験で用いたのは、把持行為で行動する時に行う基本的な行動だからである。この実験結果から、芯材の屈曲角度の範囲下限を７０°に設定するのが好ましいと考えられる。
【００６０】
実験２は、５人の被験者に対し、小指でＭＰ関節の最大屈曲角度を測定した。その結果、５人を測定した最大値が１２０°であった。小指を選択したのは、示指から小指の中で最も柔らかく指が曲がり易いのが小指だったからである。この実験結果から、芯材の屈曲角度の範囲上限を１２０°に設定するのが好ましいと考えられる。
【００６１】
実験３は、５人の被験者に対し、ＩＰ関節を伸展した状態にて５００ｍｌのペットボトルが握ることができるＭＰ屈曲角度を測定した。その結果、５人の平均値が８１．６°であった。ペットボトルを握る行為を実験で用いたのは、これが日常行動で行われる行為で、指のリハビリにも使える行為だからである。この実験結果から、芯材の屈曲角度の好適範囲下限を８０°に設定するのが好ましいと考えられる。
【００６２】
実験４は、５人の被験者に対し、ＩＰ関節を伸展した状態にて５００ｍｌのペットボトルが握れなくなるときの小指のMP屈曲角度を測定した。その結果、５人を測定した最大値が１００°であった。ペットボトルを握れなくなるときの小指の角度を選択したのは、ペットボトルを握る行為が日常行動で行われる行為で、示指から小指の中で最も柔らかく指が曲がり易いのが小指だからである。この実験結果から、結果から芯材の屈曲角度の好適範囲上限を１００°に設定するのが好ましいと考えられる。
【００６３】
以上の実験１から４の実験結果より、所定の角度αは、７０°〜１２０°の範囲が適していることが分かった。また、所定の角度αは、８０°〜１００°の範囲が好適であることが分かった。
【符号の説明】
【００６４】
１、２１  関節用装具
２、２２  本体部
３、４、２３  掌ベルト
５  固定ベルト
６、７、８、２７、２８、３０Ｒ、３０Ｌ  面ファスナ部
９、３１  固定材（キャストステー）
２４  手首ベルト
２５  周回ベルト
２６  甲ベルト
２９  固定具
３２  ベース部
３３  カバー部
４１  甲部パッド
４２  掌パッド
Ｎ１、Ｎ２  拳
【図１】
2019033823.tif 000004
【図２】
2019033823.tif 000005
【図３】
2019033823.tif 000006
【図４】
2019033823.tif 000007
【図５】
2019033823.tif 000008
【図６】
2019033823.tif 000009
【図７】
2019033823.tif 000010
【図８】
2019033823.tif 000011
【図９】
2019033823.tif 000012
【図１０】
2019033823.tif 000013
【図１１】
2019033823.tif 000014
【図１２】
2019033823.tif 000015
【図１３】
2019033823.tif 000016